(57)【特許請求の範囲】
【請求項１】
収穫物を搬送する搬送手段と、
この搬送手段による搬送を補助する搬送補助手段と、
前記搬送手段からの動力を前記搬送補助手段に伝達する動力伝達手段とを備え、
前記搬送手段は、
互いに離間対向する左側板および右側板と、
これら左側板および右側板間に配設され、収穫物を搬送する搬送体とを有し、
前記動力伝達手段は、
前記左側板に回転可能に取り付けられ、前記搬送体から受ける力で回転する左回転体と、
前記右側板に回転可能に取り付けられ、前記搬送体から受ける力で回転する右回転体とを有し、
前記左回転体および前記右回転体は、前記搬送体の復路部を下方から支持する
ことを特徴とする収穫機。
【請求項２】
収穫物を搬送する搬送手段と、
この搬送手段による搬送を補助する搬送補助手段と、
前記搬送手段からの動力を前記搬送補助手段に伝達する動力伝達手段とを備え、
前記搬送手段は、
互いに離間対向する左側板および右側板と、
これら左側板および右側板間に配設され、収穫物を搬送する搬送体とを有し、
前記動力伝達手段は、
前記左側板に回転可能に取り付けられ、前記搬送体から受ける力で回転する左回転体と、
前記右側板に回転可能に取り付けられ、前記搬送体から受ける力で回転する右回転体とを有し、
前記左回転体は、
前記左側板に回転可能に取り付けられた左軸部材と、
この左軸部材に取り付けられ、前記搬送体を下方から支持する左支持部材とを有し、
前記右回転体は、
前記右側板に回転可能に取り付けられた右軸部材と、
この右軸部材に取り付けられ、前記搬送体を下方から支持する右支持部材とを有し、
前記左軸部材および前記右軸部材のうち少なくともいずれか一方には、動力伝達用の回転部材が取り付けられている
ことを特徴とする収穫機。
【請求項３】
搬送手段は、左側板と右側板とを連結する連結体を有し、
左回転体は、前記連結体の左端部の近傍に配設され、
右回転体は、前記連結体の右端部の近傍に配設されている
ことを特徴とする請求項１または２記載の収穫機。
【発明の詳細な説明】
【技術分野】
【０００１】
本発明は、作業者への負担を軽減できる収穫機に関するものである。
【背景技術】
【０００２】
従来、例えば下記の特許文献１に記載された収穫機が知られている。
【０００３】
この従来の収穫機は、収穫物を搬送する搬送手段と、この搬送手段による搬送を補助する搬送補助手段と、搬送手段からの動力を搬送補助手段に伝達する動力伝達手段とを備えている。
【０００４】
ここで、例えば図８に示すように、従来の収穫機における搬送手段１からの動力を搬送補助手段（図示せず）に伝達する動力伝達手段２は、搬送手段１の左右の両側板３間に回転可能に架設された左右方向の１本の回転軸４を有している。
【０００５】
そして、回転軸４の左右両側には、収穫物Ｗをロッド部材５上に載せて搬送するロッド式の搬送体６を下方から支持する支持部材（スプロケット）７がそれぞれ取り付けられている。また、回転軸４の右端部には、動力伝達用の回転部材（スプロケット）８が取り付けられている。
【先行技術文献】
【特許文献】
【０００６】
【特許文献１】特開平５−８４００７号公報
【発明の概要】
【発明が解決しようとする課題】
【０００７】
しかしながら、上記従来の収穫機では、例えば図８に示すように、茎や根等の雑物９が動力伝達手段２の回転軸４に巻き付くため、作業者は、その巻き付いた雑物９を除去しなければならず、作業者に大きな負担がかかるおそれがある。
【０００８】
本発明は、このような点に鑑みなされたもので、作業者への負担を軽減できる収穫機を提供することを目的とする。
【課題を解決するための手段】
【０００９】
請求項１記載の収穫機は、収穫物を搬送する搬送手段と、この搬送手段による搬送を補助する搬送補助手段と、前記搬送手段からの動力を前記搬送補助手段に伝達する動力伝達手段とを備え、前記搬送手段は、互いに離間対向する左側板および右側板と、これら左側板および右側板間に配設され、収穫物を搬送する搬送体とを有し、前記動力伝達手段は、前記左側板に回転可能に取り付けられ、前記搬送体から受ける力で回転する左回転体と、前記右側板に回転可能に取り付けられ、前記搬送体から受ける力で回転する右回転体とを有し、前記左回転体および前記右回転体は、前記搬送体の復路部を下方から支持するものである。
【００１０】
請求項２記載の収穫機は、収穫物を搬送する搬送手段と、この搬送手段による搬送を補助する搬送補助手段と、前記搬送手段からの動力を前記搬送補助手段に伝達する動力伝達手段とを備え、前記搬送手段は、互いに離間対向する左側板および右側板と、これら左側板および右側板間に配設され、収穫物を搬送する搬送体とを有し、前記動力伝達手段は、前記左側板に回転可能に取り付けられ、前記搬送体から受ける力で回転する左回転体と、前記右側板に回転可能に取り付けられ、前記搬送体から受ける力で回転する右回転体とを有し、前記左回転体は、前記左側板に回転可能に取り付けられた左軸部材と、この左軸部材に取り付けられ、前記搬送体を下方から支持する左支持部材とを有し、前記右回転体は、前記右側板に回転可能に取り付けられた右軸部材と、この右軸部材に取り付けられ、前記搬送体を下方から支持する右支持部材とを有し、前記左軸部材および前記右軸部材のうち少なくともいずれか一方には、動力伝達用の回転部材が取り付けられているものである。
【００１１】
請求項３記載の収穫機は、請求項１または２記載の収穫機において、搬送手段は、左側板と右側板とを連結する連結体を有し、左回転体は、前記連結体の左端部の近傍に配設され、右回転体は、前記連結体の右端部の近傍に配設されているものである。
【発明の効果】
【００１２】
本発明によれば、雑物の巻き付きを防止することができ、作業者への負担を軽減できる。
【図面の簡単な説明】
【００１３】
【図１】本発明の一実施の形態に係る収穫機の全体側面図である。
【図２】同上収穫機の部分平面図である。
【図３】（ａ）は図２におけるａ部分の拡大図、（ｂ）は図２におけるｂ部分の拡大図である。
【図４】同上収穫機の左側の部分側面図である。
【図５】同上収穫機の右側の部分側面図である。
【図６】同上収穫機の部分底面図である。
【図７】図６におけるＡ−Ａ断面図である。
【図８】従来の収穫機の部分平面図である。
【発明を実施するための形態】
【００１４】
本発明の一実施の形態について図１ないし図７を参照して説明する。
【００１５】
図中の11は、自走式の収穫機で、この収穫機11は、進行方向である前方に移動しながら圃場の収穫物Ｗをコンテナ等の収納体（図示せず）内に収納するものである。つまり、この収穫機11は、前方に走行移動しながら収穫物（農作物）Ｗの収穫作業をするものである。なお、収穫物Ｗは、例えばチューリップの球根、イモ類、或いは玉葱等である。
【００１６】
収穫機11は、図１に示されるように、エンジン（図示せず）を搭載した機体12を備え、この機体12の下部には、エンジンからの動力で駆動する左右１対の走行手段であるクローラ13が設けられている。この機体12の前部には、ステップ14に乗った作業者が操作する操作手段15が設けられている。
【００１７】
また、収穫機11は、圃場に植生された収穫物Ｗを圃場の土中から掘り取りこの掘り取った収穫物Ｗを後斜め上方に向けて搬送する搬送手段である掘取搬送手段16と、この掘取搬送手段16の上方に配設され掘取搬送手段16による搬送を補助する搬送補助手段17と、掘取搬送手段16からの動力を搬送補助手段17に伝達する動力伝達手段18とを備えている。
【００１８】
さらに、収穫機11は、掘取搬送手段16からの収穫物Ｗを受け入れこの受け入れた収穫物Ｗを上方に向けて持ち上げ搬送する持上搬送手段19と、この持上搬送手段19からの収穫物Ｗを受け入れこの受け入れた収穫物Ｗを後方に向けて搬送する選別作業用の選別搬送手段20とを備えている。
【００１９】
選別搬送手段（第３コンベヤ）20は、機体12の上部に設けられており、ステップ14に乗った作業者が選別搬送手段20にて搬送中の収穫物Ｗに対して選別作業をする。持上搬送手段（第２コンベヤ）19は、機体12の前部に設けられており、この持上搬送手段19の下部に掘取搬送手段（第１コンベヤ）16が取り付けられている。搬送補助手段（補助コンベヤ）17は、掘取搬送手段16の補助手段取付部16aに取り付けられている（図４参照）。
【００２０】
なお、図示しないが、機体12の後部には、選別搬送手段20からの収穫物Ｗが自重で落下して収納される収納体を載置するための載置台が設けられている。
【００２１】
掘取搬送手段（掘取コンベヤ）16は、それぞれ前後方向長手状に形成され互いに離間対向する左側板21aおよび右側板21bと、これら左側板21aおよび右側板21b間に回行可能に配設され収穫物Ｗをロッド部材22上に載せて搬送するロッド式の搬送体23とを有している。
【００２２】
また、掘取搬送手段16は、圃場に植生された収穫物Ｗを圃場の土中から掘り取りこの掘り取った収穫物Ｗを搬送体23に渡す掘取体24を有している。掘取体24は、左側板21aの前端部と右側板21bの前端部との間に架設されている。掘取体24は、平面視でく字状をなす掘取用の刃部材25と、この刃部材25に後方に向かって突設された複数本の棒部材26とを有している。
【００２３】
さらに、掘取搬送手段16は、左側板（左側カバー）21aと右側板（右側カバー）21bとを連結する左右方向に細長い円筒状の連結体28を有している。連結体28は、左側板21aの前後方向中間部である中央部（略中央部を含む。以下同様）と右側板21bの前後方向中間部である中央部との間に架設されている。つまり、この連結体28は、左端部が左側板21aの前後方向中央部に左取付板29aを介して固着され、右端部が右側板21bの前後方向中央部に右取付板29bを介して固着されている。
【００２４】
ここで、搬送体23は、所定方向に回行しながら収穫物Ｗを後斜め上方に搬送する無端状のもので、前端側の従動回転体31および後端側の駆動回転体32に掛け渡されている。この駆動回転体（例えばスプロケット）32は、機体12のエンジンからの動力で所定方向へ回転し、この駆動回転体32の回転によって搬送体23が所定方向に回行する。
【００２５】
搬送体23は、図６等に示されるように、駆動回転体32および従動回転体31に掛け渡された無端状の左右１対の幅細のベルト部材（コンベヤベルト）33と、これら両ベルト部材33間に架設された左右方向長手状の複数本の搬送用のロッド部材（コンベヤバー）22とを有している。
【００２６】
搬送補助手段（掻き込みコンベヤ）17は、それぞれ前後方向長手状に形成され互いに離間対向する左側板41aおよび右側板41bと、これら左側板41aおよび右側板41b間に回行可能に配設され板部材42で搬送体23上の収穫物Ｗを支えるようにして搬送体23による収穫物Ｗの搬送を補助する搬送補助体43とを有している。
【００２７】
搬送補助体43は、所定方向に回行しながら搬送体23と協働して収穫物Ｗを後斜め上方に搬送する無端状のもので、前端側の従動回転体46および後端側の駆動回転体47に掛け渡されている。
【００２８】
駆動回転体（例えばスプロケット）47は、動力伝達手段18からの動力で所定方向へ回転し、この駆動回転体47の回転によって搬送補助体43が所定方向に回行する。なお、この駆動回転体47は、左右の両側板41a，41b間に架設された左右方向の回転軸体48に固着されている。
【００２９】
搬送補助体43は、図４および図５等に示されるように、駆動回転体47および従動回転体46に掛け渡された無端状の幅広の無端部材44と、この無端部材44に取り付けられた弾性変形可能な複数枚の搬送用の板部材（例えば弾性板）42とを有している。なお、無端部材44の張力は、張力調整手段45によって調整可能となっている。
【００３０】
動力伝達手段18は、例えば掘取搬送手段16の回行中の搬送体23からの動力を搬送補助手段17の回転軸体（駆動軸）48に伝達するものである。
【００３１】
この動力伝達手段18は、図２および図３等に示されるように、掘取搬送手段16の左側板21aに回転可能に取り付けられ回行中の搬送体23から受ける力で回転する左回転体51aと、この左回転体51aと離れて位置するように反対側の右側板21bに回転可能に取り付けられ回行中の搬送体23から受ける力で回転する右回転体51bとを有している。
【００３２】
左回転体51aは、掘取搬送手段16の左側板21aに円筒状の左軸受部52aを介して回転可能に取り付けられている。左軸受部52aは、例えば２個のベアリング53、カラー54、カバー55、止め輪56およびボス（円筒状のベアリングカバー）57にて構成されている。
【００３３】
なお、左回転体51aを回転可能に支持する左軸受部52aのボス57は、左側板21aのボス取付孔部58に嵌合固定されている。また、左回転体51aがぐら付かないように、ボス57の外周面に固着された固定板59が、連結体28の左端部の外周面に固着されたボス固定板60に取付具（例えばボルトおよびナット）50によって固定されている。つまり、連結体28と左軸受部52aとが、固定板59、ボス固定板60および取付具50からなる連結手段40aによって連結されている。
【００３４】
そして、左回転体51aは、左側板21aに左軸受部52aを介して回転可能に取り付けられた左右方向の短軸状の分割軸である左軸部材71aを有している。この左軸部材71aは、左軸受部52aによって回転可能に支持されており、この左軸部材71aの右端部（内端部）には、搬送体23のロッド部材22と係合してこの搬送体23の復路部を下方から支持する左支持部材（例えばスプロケット）72aが固着されている。左支持部材72aは、ロッド部材22と係合する係合凹部73が外周側に複数形成されている。なお、左回転体51aは、左軸部材71aと左支持部材72aとにて構成されている。また、左軸部材71aの少なくとも半部が、左側板21aに対して内方突出状の左軸受部52aによって覆われている。
【００３５】
また同様に、右回転体51bは、掘取搬送手段16の右側板21bに円筒状の右軸受部52bを介して回転可能に取り付けられている。右軸受部52bは、例えば２個のベアリング63、カラー64、止め輪66およびボス（円筒状のベアリングカバー）67にて構成されている。
【００３６】
なお、右回転体51bを回転可能に支持する右軸受部52bのボス67は、右側板21bのボス取付孔部68に嵌合固定されている。また、右回転体51bがぐら付かないように、ボス67の外周面に固着された固定板69が、連結体28の右端部の外周面に固着されたボス固定板70に取付具（例えばボルトおよびナット）50によって固定されている。つまり、連結体28と右軸受部52bとが、固定板69、ボス固定板70および取付具50からなる連結手段40bによって連結されている。
【００３７】
そして、右回転体51bは、右側板21bに右軸受部52bを介して回転可能に取り付けられた左右方向の短軸状の分割軸である右軸部材71bを有している。この右軸部材71bは、右軸受部52bによって回転可能に支持されており、この右軸部材71bの左端部（内端部）には、搬送体23のロッド部材22と係合してこの搬送体23の復路部を下方から支持する右支持部材（例えばスプロケット）72bが固着されている。右支持部材72bは、ロッド部材22と係合する係合凹部74が外周側に複数形成されている。なお、右回転体51bは、右軸部材71bと右支持部材72bとにて構成されている。また、右軸部材71bの少なくとも半部が、右側板21bに対して内方突出状の右軸受部52bによって覆われている。
【００３８】
そして、互いに独立して設けられた２本の左軸部材71aおよび右軸部材71bのうち、少なくともいずれか一方、すなわち例えば右軸部材71bの右端部（外端部）には、動力伝達用の回転部材（例えばスプロケット）76が固着されている。
【００３９】
つまり、右軸部材71bは、左軸部材71aよりも少し長く、右側板21bよりも外側方に位置する延長軸部分77を有し、この延長軸部分77に回転部材76が固着されている。
【００４０】
また、図５に示されるように、回転部材76の上方には、搬送補助手段17の回転軸体48に固着された動力伝達用の回転部材（例えばスプロケット）78が配設されている。そして、これら上下の両回転部材76，78には、無端状の動力伝達用の回行部材（例えばチェーン）79が掛け渡されている。この回行部材79は、カバー部材80によって覆われている。
【００４１】
さらに、図２から明らかなように、一方側回転体である左回転体51aは連結体28の左端部28aの近傍（左側板21aの近傍）に配設され、他方側回転体である右回転体51bは連結体28の右端部28bの近傍（右側板21bの近傍）に配設されている。
【００４２】
つまり、左回転体51aは、左側板21aのうち連結体28の左端部28aが取り付けられた部分の近傍位置に左軸受部52aを介して回転可能に取り付けられている。右回転体51bは、右側板21bのうち連結体28の右端部28bが取り付けられた部分の近傍位置に右軸受部52bを介して回転可能に取り付けられている。
【００４３】
こうして、左回転体51aおよび右回転体51bは、搬送体23の復路部の下方位置に互いに離間対向した状態で配設されており、これら左回転体51aと右回転体51bとの間が空間部81となっている。
【００４４】
なお、動力伝達手段18は、左軸部材71a、左支持部材72a、右軸部材71b、右支持部材72b、回転部材76，78および回行部材79等にて構成されている。また、左右の各支持部材72a，72bは、例えば同じ大きさのスプロケットからなるもので、搬送体23の復路部が下方へ撓まないようにこの搬送体23の復路部を支持して平面状に維持する。
【００４５】
次に、収穫機11の作用等を説明する。
【００４６】
収穫機11がクローラ13の駆動で前方に移動すると、圃場の収穫物Ｗは、掘取体24にて掘り取られた後、掘取搬送手段16の搬送体23と搬送補助手段17の搬送補助体43とによって搬送される。
【００４７】
この際、収穫物Ｗと一緒に、搬送体23のロッド部材22上に搬入された土、石や雑物（茎や根等）は、隣り合うロッド部材22間の隙間から圃場に落下し、収穫物Ｗから分離される。
【００４８】
その後、収穫物Ｗは、持上搬送手段19によって搬送された後、選別搬送手段20上を経て、コンテナ等の収納体内に収納される。
【００４９】
このような収穫作業時において、掘取搬送手段16はエンジンからの動力で駆動し、搬送補助手段17は動力伝達手段18からの動力で駆動する。
【００５０】
そして、収穫機11によれば、動力伝達手段18は、掘取搬送手段16の左側板21aに設けられた左回転体51aと、掘取搬送手段16の右側板21bに左回転体51aとは別に独立して設けられた右回転体51bとを有する構成であるから、従来の構成とは異なり、例えば茎や根等の雑物が回転体51a，51bの軸部材71a，71bに巻き付くことがなく、よって雑物の巻き付きを防止でき、作業者への負担を軽減でき、また雑物の巻き付きによって作業を中断することもない。
【００５１】
また、左側板21aと右側板21bとが連結体28によって連結され、連結体28の左端部28aの近傍に片持ち状の左回転体51aが配設され、連結体28の右端部28bの近傍に片持ち状の右回転体51bが配設された構成であるから、回転体51a，51bから受ける力で側板21a，21bが変形する不具合を防止できる。
【００５２】
なお、収穫機11は、自走式には限定されず、例えばトラクタ等の走行車に連結して使用する構成等でもよい。
【００５３】
また、収穫機11は、例えば持上搬送手段19を備えず、選別搬送手段20が掘取搬送手段16からの収穫物Ｗを受け入れる構成でもよい。
【００５４】
さらに、例えば同軸上に位置する２本の回転軸である軸部材71a，71bの全体（略全体を含む）を筒状の軸受部52a，52bで覆うようにしてもよい。
【００５５】
また、例えば同軸上に位置する２本の軸部材71a，71bのうち左軸部材71aに動力伝達用の回転部材が取り付けられた構成でもよく、また両軸部材71a，71bに動力伝達用の回転部材がそれぞれ取り付けられた構成でもよい。
【符号の説明】
【００５６】
11    収穫機
16    搬送手段である掘取搬送手段
17    搬送補助手段
18    動力伝達手段
21a   左側板
21b   右側板
23    搬送体
28    連結体
51a   左回転体
51b   右回転体
71a   左軸部材
71b   右軸部材
72a   左支持部材
72b   右支持部材
76    回転部材
Ｗ    収穫物
【図１】
0006646976.tif 000002
【図２】
0006646976.tif 000003
【図３】
0006646976.tif 000004
【図４】
0006646976.tif 000005
【図５】
0006646976.tif 000006
【図６】
0006646976.tif 000007
【図７】
0006646976.tif 000008
【図８】
0006646976.tif 000009